(57)【要約】【課題】本発明は、接続構造がより安定したプロジェクターランプ用固定装置を提供する。【解決手段】本発明に係るプロジェクターランプ用固定装置は、光源装置と、接続部材と、光学エンジンハウジングと、を備える。前記光源装置は複数の部品を備える。前記接続部材は互いに反対側に位置して形成された第一側面及び第二側面を備え、前記第一側面は前記光源装置の少なくとも２つの部品に接続され、前記第二側面は前記光学エンジンハウジングに接続される。【選択図】図１
2014053301.tif 000002
【特許請求の範囲】
【請求項１】
光源装置と、接続部材と、光学エンジンハウジングと、を備え、前記光源装置は複数の部品を備えるプロジェクターランプ用固定装置であって、
前記接続部材は互いに反対側に位置して形成された第一側面及び第二側面を備え、前記第一側面は前記光源装置の少なくとも２つの部品に接続され、前記第二側面は、前記光学エンジンハウジングに接続されることを特徴とするプロジェクターランプ用固定装置。
【請求項２】
前記光源装置の部品の数量は４つであり、それぞれ、ランプ、ランプカバー、ランプホルダー及びランプハウジングであり、前記ランプの光出射端は前記ランプカバーに設置され、前記ランプカバーは前記ランプホルダーに設置され、前記ランプハウジングは、前記ランプカバーに固定されて前記ランプホルダーに接続されることを特徴とする請求項１に記載のプロジェクターランプ用固定装置。
【請求項３】
前記光源装置の第一側面に対向する片側に位置する少なくとも２つの部品には、少なくとも３つの位置決め孔が設置されていることを特徴とする請求項２に記載のプロジェクターランプ用固定装置。
【請求項４】
前記３つの位置決め孔のうちの１つの位置決め孔は前記ランプカバーに設けられ、他の２つの位置決め孔は前記ランプホルダーに設けられることを特徴とする請求項３に記載のプロジェクターランプ用固定装置。
【請求項５】
前記第一側面には、前記第一側面に垂直に前記光源装置に向かって延在して形成された凸板が設置され、前記凸板には、固定柱が前記凸板に垂直に前記第二側面に向かって延在するように設置され、前記固定柱は、前記ランプカバーの位置決め孔内に位置することを特徴とする請求項２から４のいずれか一項に記載のプロジェクターランプ用固定装置。
【請求項６】
前記第二側面の上下両端には、第一平板及び第二平板が前記光学エンジンハウジングに向かって延在して形成されていることを特徴とする請求項１から５のいずれか一項に記載のプロジェクターランプ用固定装置。
【請求項７】
前記光学エンジンハウジングの接続部材に対向する片側には支持部材が設置され、前記第一平板は前記支持部材に設置され、且つ締結部材によって固定接続されることを特徴とする請求項６に記載のプロジェクターランプ用固定装置。
【発明の詳細な説明】
【技術分野】
【０００１】
本発明は、プロジェクターランプ用固定装置に関する。
【背景技術】
【０００２】
プロジェクターの光学エンジンは、光源装置及び光学部品を備えてなる。光源装置は、ランプ、ランプハウジング、ランプホルダー及びランプカバー等によって構成される。光学部品は、カラーホイール、投影レンズ及びプリズム等を備える。光学部品は、光学エンジンハウジングに設置されている。従来の技術において、２つの螺子によって光源装置のランプカバーの上端部を光学エンジンハウジングに固定する。しかし、前記方法によってランプカバーを固定する場合、光学エンジンハウジング自身が一定の重量を有するため、ランプカバーが変形する可能性がある。
【発明の概要】
【発明が解決しようとする課題】
【０００３】
本発明の目的は、前記課題を解決するために、接続構造がより安定したプロジェクターランプ用固定装置を提供することである。
【課題を解決するための手段】
【０００４】
前記目的を達成するために、本発明に係るプロジェクターランプ用固定装置は、光源装置と、接続部材と、光学エンジンハウジングと、を備える。前記光源装置は複数の部品を備える。前記接続部材は互いに反対側に位置して形成された第一側面及び第二側面を備え、前記第一側面は前記光源装置の少なくとも２つの部品に接続され、前記第二側面は前記光学エンジンハウジングに接続される。
【発明の効果】
【０００５】
従来の技術と比べると、本発明に係るプロジェクターランプ用固定装置は、接続部材によって光源装置と光学エンジンハウジングとを固定し、また、この接続部材は光源装置の少なくとも２つの部品に接続される。これにより、接続構造はより安定する。
【図面の簡単な説明】
【０００６】
【図１】本発明の実施形態に係るプロジェクターランプ用固定装置の分解図である。
【図２】図１に示すプロジェクターランプ用固定装置の接続部材と光学エンジンハウジングとが接続された状態を示す図である。
【図３】図１に示すプロジェクターランプ用固定装置の接続部材と光源装置とが接続される前の状態を示す図である。
【図４】図１に示すプロジェクターランプ用固定装置の組立斜視図である。
【発明を実施するための形態】
【０００７】
以下、図面を参照して、本発明の実施形態について説明する。
【０００８】
図１及び図２を参照すると、本発明の実施形態に係るプロジェクターランプ用固定装置１０は、光源装置１２と、接続部材１４と、光学エンジンハウジング１６と、を備える。光学エンジンハウジング１６の内部には、カラーホイール、投影レンズ及びプリズムなどのような光学部品が設置されている。
【０００９】
接続部材１４は、“コ”型の板金部品であり、光源装置１２と光学エンジンハウジング１６とを接続するために用いられる。具体的に、接続部材１４は、互いに反対側に位置して形成された第一側面１４２及び第二側面１４４を備える。第一側面１４２は光源装置１２に接続され、第二側面１４４は光学エンジンハウジング１６に接続される。第二側面１４４の上下両端には、第一平板１４６及び第二平板１４８が光学エンジンハウジング１６に向かってそれぞれ延在して形成されている。
【００１０】
光源装置１２は複数の部品を備える。具体的には、部品の数量は４つであり、それぞれ、ランプ１２２、ランプカバー１２４、ランプホルダー１２６及びランプハウジング１２８である。ランプ１２２の光出射端はランプカバー１２４に設置される。ランプカバー１２４はランプホルダー１２６に設置される。ランプハウジング１２８は、ランプカバー１２４に固定されてランプホルダー１２６に接続される。第一側面１４２のランプカバー１２４に対応する位置には通光孔１４１が設けられている。ランプ１２２から出射した光線は、ランプカバー１２４及び通光孔１４１を経て光学エンジンハウジング１６の内部の光学部品に出射される。
【００１１】
光源装置１２における第一側面１４２に対向する片側には、少なくとも３つの位置決め孔１２０（図３を参照）が設置されている。具体的には、この少なくとも３つの位置決め孔１２０の内の１つの位置決め孔１２０はランプカバー１２４に設けられ、他の２つの位置決め孔１２０はランプホルダー１２６に設けられる。接続部材１４の第二平板１４８には、ランプホルダー１２６の位置決め孔１２０に対応する２つの位置決めピン１４０が設置されている。位置決めピン１４０はランプホルダー１２６の位置決め孔１２０を貫通することによって、光源装置１２を第一側面１４２に接続させる。第一側面１４２には、第一側面１４２に垂直であり、且つ光源装置１２に向かって延在して形成された凸板１４２２が設置されている。また、凸板１４２２には、固定柱１４３が凸板１４２２に垂直に第二側面１４４に向かって（第一平板１４６から第二平板１４８に向かう方向に）延在するように設置されている。固定柱１４３とランプカバー１２４の位置決め孔１２０とは係合して接続される。接続部材１４は、ランプカバー１２４とランプホルダー１２６との両方に接続されるため、光源装置１２と接続部材１４との接続をより安定にすることができる。
【００１２】
第二平板１４８にはネジ孔１４８４が設けられている。ランプホルダー１２６のネジ孔１４８４に対応する位置には、貫通孔１２６２が設けられている。貫通孔１２６２には螺子１２６４が貫通されている。螺子１２６４とネジ孔１４８４とを螺合することによって光源装置１２と接続部材１４とを固定させる。
【００１３】
光学エンジンハウジング１６の接続部材１４に対向する片側には、支持部材１６２が設置されている。第一平板１４６は支持部材１６２に接続され、且つ締結部材１６０によって固定接続される。第二平板１４８には、固定シート１４８２が光学エンジンハウジング１６に向かって延在している。固定シート１４８２は、第二平板１４８を湾曲して形成され、且つ第二平板１４８に平行である。光学エンジンハウジング１６には、固定シート１４８２を貫通するためのカムピン１６４が設置されている。これにより、第二側面１４４は、第一平板１４６及び固定シート１４８２によって光学エンジンハウジング１６に固定接続される。
【００１４】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１５】
１０      プロジェクターランプ用固定装置
１２      光源装置
１４      接続部材
１６      光学エンジンハウジング
１２０    位置決め孔
１２２    ランプ
１２４    ランプカバー
１２６    ランプホルダー
１２８    ランプハウジング
１４０    位置決めピン
１４１    通光孔
１４２    第一側面
１４３    固定柱
１４４    第二側面
１４６    第一平板
１４８    第二平板
１６０    締結部材
１６２    支持部材
１６４    カムピン
１２６２  貫通孔
１２６４  螺子
１４２２  凸板
１４８２  固定シート
１４８４  ネジ孔
【図１】
2014053301.tif 000003
【図２】
2014053301.tif 000004
【図３】
2014053301.tif 000005
【図４】
2014053301.tif 000006